(57)【要約】【課題】  光ピックアップ本体の移動に伴って、フレキシブル基板と第１押さえ板とが接触することによって発生するフレキシブル基板の配線切れおよび摩耗を低減するために、フレキシブル基板が第１押さえ板と接触する接触面の形状を変更し、フレキシブル基板の信頼性を改善した光ピックアップ装置およびそれを備える光情報記録再生装置を提供することである。【解決手段】  光ピックアップ装置において、第１押さえ板１の先端部１ｃが、フレキシブル基板３から離反する方向に屈曲し、その屈曲部１ｄにおけるフレキシブル基板を臨む面が曲面となるように形成されることを特徴とする。【選択図】      図３
2009199654.tif 000002
【特許請求の範囲】
【請求項１】
ディスク状記録媒体の一半径線方向に平行な移動方向に沿って移動しながら、前記ディスク状記録媒体に記録された情報を読み取り、または前記ディスク状記録媒体に情報を書き込む光ピックアップ装置であって、
光ピックアップ本体が搭載されるハウジングと、
前記ハウジングを、前記移動方向に沿って移動可能に支持する基台と、
一端部が前記光ピックアップ本体の上面を覆って光ピックアップ本体に接続され、前記一端部から前記移動方向に沿って延び、中間部が略Ｕ字状に湾曲し、他端部が前記一端部と他端部とによって前記ハウジングを挟むように前記基台に接続されるフレキシブル基板と、
前記フレキシブル基板の一端部における前記光ピックアップ本体に臨む側とは反対側の面を覆うように、前記ハウジングに取り付けて設けられる第１押さえ板とを備え、
前記第１押さえ板の先端部が、前記フレキシブル基板から離反する方向に屈曲し、その屈曲部におけるフレキシブル基板を臨む面が曲面であり、先端部を除く残余の部分におけるフレキシブル基板を臨む面が同一平面となるように形成されることを特徴とする光ピックアップ装置。
【請求項２】
前記第１押さえ板の先端部を、前記フレキシブル基板から離反する方向に略直角に屈曲させることを特徴とする請求項１記載の光ピックアップ装置。
【請求項３】
前記第１押さえ板の屈曲部における前記フレキシブル基板を臨む面が、前記移動方向に垂直な方向に沿って凹凸する波形状凹凸面であって、前記凹凸面のうちフレキシブル基板側に突出する面が曲面であることを特徴とする請求項１記載の光ピックアップ装置。
【請求項４】
前記第１押さえ板の屈曲部における前記フレキシブル基板を臨む面に、略半球状の凸部を設けることを特徴とする請求項１記載の光ピックアップ装置。
【請求項５】
前記凸部は、プレス加工によって形成されることを特徴とする請求項４記載の光ピックアップ装置。
【請求項６】
前記凸部は、前記移動方向に垂直な方向に沿って複数設けられることを特徴とする請求項４記載の光ピックアップ装置。
【請求項７】
可撓性を有し、前記第１押さえ板の先端部近傍において、前記フレキシブル基板を介して、前記第１押さえ板とは反対側に、前記第１押さえ板とともに前記フレキシブル基板を挟むように配置される第２押さえ板をさらに備え、前記第２押さえ板は、前記第１押さえ板の先端部に対向する部分である先端部が、前記フレキシブル基板から離反する方向に屈曲し、その屈曲部におけるフレキシブル基板を臨む面が曲面であることを特徴とする請求項１〜６のいずれか１つに記載の光ピックアップ装置。
【請求項８】
請求項１〜７のいずれか１つに記載の光ピックアップ装置を搭載することを特徴とする光情報記録再生装置。
【発明の詳細な説明】
【技術分野】
【０００１】
本発明は、ＣＤ（Compact Disc）、ＤＶＤ（Digital Versatile Disc）、ＨＤ−ＤＶＤ（High-Density Digital Versatile Disc）およびＢＤ（Blue-lay Disk）等のディスク状記録媒体への情報の記録、またはディスク状記録媒体に記録された情報の再生に用いる光ピックアップ装置に備えられるフレキシブル基板の信頼性を改善した光ピックアップ装置およびそれを備える光情報記録再生装置に関する。
【背景技術】
【０００２】
図５は第１の従来技術の光ピックアップ装置を示す平面図であり、図６は図５の切断面線ＶＩ−ＶＩから見た断面図である。第１の従来技術の光ピックアップ装置には、光を出射する光源を含む光源ユニット８および光源から出射される光をディスク状記録媒体（以後、光ディスクと称することがある）の情報記録面に対して集光する光学部材を備える光ピックアップ本体が含まれる。また光ピックアップ本体には、光ディスクの情報記録面によって反射された反射光を受光し、再生信号や動作制御信号を得るための受光素子が備えられる。
【０００３】
このような光ピックアップ本体は、各部材がハウジング２に搭載されることによって構成される。ハウジング２は、主軸受部４および従軸受部５を有しており、主軸受部４によって主軸６が軸支され、従軸受部５によって従軸７が軸支される。主軸６および従軸７は、図示しない光ディスクの一半径線方向（図５に示す矢印の方向）と平行になるように、図示しない基台にそれぞれ設けられている。光ピックアップ本体は、ハウジング２と一体となって、光ピックアップ装置に備えられる駆動手段によって、主軸６の軸方向に沿って直線的に往復移動することが可能である。
【０００４】
光ピックアップ装置では、光源に電力を供給し、また受光素子によって検出した信号を伝送するための配線が必要とされる。前述のように光ピックアップ本体は移動可能に構成されているので、固定配線では光ピックアップ本体の移動に伴って負荷される応力によって損壊するおそれがあることを考慮して、配線は光ピックアップ本体の移動に追随できるように構成される必要がある。また、光ピックアップ装置の小型化に伴って、配線に許容される空間が狭小化していることもあり、配線には可撓性を有する素材からなる基層上に導電層のパターンをプリントしたフレキシブル基板３が多用されている。
【０００５】
フレキシブル基板３は、その一端部がハウジング２の上面に装着されて光源および受光素子などに接続され、他端部が基台側のコネクタに接続される。ここで、ハウジング２の上面とは、ハウジング２が光ディスクを臨む側の面のことを表すものとする。さらに、フレキシブル基板３の一端部とは、フレキシブル基板３の一部であって、ハウジング２の上面に対向している部分を表すものとする。
【０００６】
また、フレキシブル基板３は、ハウジング２の一端部から光ピックアップ本体の移動方向に沿って引き出される。以下、このハウジング２の一端部を引き出し部２ｅと称する。フレキシブル基板３は、さらに、その中間部において引き出された方向とは反対方向に向かって延びるように反転され、ハウジング２の下面と基台の上面との間を、基台の上面に沿うようにコネクタに向かって延びる。このとき、フレキシブル基板３は、中間部において略Ｕ字状に湾曲している。また、フレキシブル基板３は、光ピックアップ本体の移動に対応するために、一端部から他端部までの長さに余裕を持たせるように作製されている。
【０００７】
フレキシブル基板３の一端部の上面は、押さえ板１によって覆われる。ここで、フレキシブル基板３の一端部の上面とは、その一端部が光ディスクを臨む側の面のことを表すものとする。この押さえ板１によって、フレキシブル基板３の光ディスク側への膨らみを抑えるとともに、光ピックアップ本体を保護している。押さえ板１は、取付部１ａ，１ｂを有し、この取付部１ａ，１ｂがハウジング２に設けられる係止爪２ａ，２ｂで係止されることによって、ハウジング２に対して取り付けられている。
【０００８】
図７は、図５の切断面線Ｖ−Ｖから見た断面図である。フレキシブル基板３は、その一端部３ａがハウジング２の上面に装着され、中間部３ｂにおいて引き出された方向とは反対方向に向かって延びるように反転され、他端部３ｃが基台１１に設けられたコネクタ１０に接続される。フレキシブル基板３は、図７（ａ）に示すように、光ピックアップ本体の移動の際に、押さえ板１およびハウジング２と接触しないことが、フレキシブル基板３の信頼性を向上する上で好ましい。
【０００９】
しかし、実際には、光ピックアップ本体の移動に伴い、フレキシブル基板３の中間部３ｂの長さが変化することによって、フレキシブル基板３は、押さえ板１の先端部１ｃの角またはハウジング２の引き出し部２ｅと接触してしまう。たとえば、中間部３ｂの長さが長くなった場合には、図７（ｂ）に示すように、中間部３ｂが大きく膨らんで、押さえ板１の先端部１ｃの角と接触してしまう。フレキシブル基板３が押さえ板１の先端部１ｃの角と接触した状態で、光ピックアップ本体が移動することによって、接触部に荷重が加わり、あるいはその角と接触しながらフレキシブル基板３が摺動することによってフレキシブル基板３が摩耗することになり、フレキシブル基板３の配線切れや破損が発生してしまう。また、押さえ板１の先端部１ｃの角とフレキシブル基板３との接触時における衝撃荷重によっても、フレキシブル基板３の配線切れや破損が発生してしまう。このように、フレキシブル基板３が押さえ板１またはハウジング２と接触することによって、フレキシブル基板３の信頼性を大きく損なってしまうという問題がある。
【００１０】
また、第２の従来技術として、２枚のフレキシブル基板を用いて、一方のフレキシブル基板を光ピックアップ装置本体の上面に固定し、光ピックアップ用ケースの上部の端近傍で他方のフレキシブル基板と接合して構成される光ピックアップ装置が、特許文献１に開示されている。しかし、フレキシブル基板を接合する場合には、非常に精度よく位置決めをして接合する必要があり容易ではないという問題がある。また、接合するための工程がさらに必要となり、生産性が低下するという問題がある。
【００１１】
また、第３の従来技術として、押さえ片を物体面（光ディスクの情報記録面）と反対方向に傾斜させて移動体（光ピックアップ本体）より側方に突出させ、押さえ片の先端を物体面方向に折り返した構成が、特許文献２に開示されている。特許文献２の構成によれば、押さえ片を傾斜させることによって、フレキシブル基板の湾曲部分の膨らみが抑えられて、フレキシブル基板が物体面と接触することを防止することができ、さらに、先端を折り返すことによって、押さえ片とフレキシブル基板との接触が曲面で行われて、フレキシブル基板を傷付け絶縁を損なうおそれをなくしている。
【００１２】
しかし、特許文献２のような構成によると、特許文献２の図１および図３に示されるように、押さえ片が傾斜しているために、押さえ片とフレキシブル基板とがほぼ常に接触した状態で移動体が移動することになる。このことによって、接触部にはほぼ常に荷重が加わることになり、フレキシブル基板の配線切れや破損が発生して、フレキシブル基板の信頼性を大きく損なってしまうという問題がある。
【００１３】
【特許文献１】特開２００６−２０２３６７号公報
【特許文献２】特開平６−２４３６０１号公報
【発明の開示】
【発明が解決しようとする課題】
【００１４】
本発明の目的は、光ピックアップ本体の移動に伴って、フレキシブル基板と第１押さえ板とが接触することによって発生するフレキシブル基板の配線切れおよび摩耗を低減するために、フレキシブル基板が第１押さえ板と接触する接触面の形状を変更し、フレキシブル基板の信頼性を改善した光ピックアップ装置およびそれを備える光情報記録再生装置を提供することである。
【課題を解決するための手段】
【００１５】
本発明は、ディスク状記録媒体の一半径線方向に平行な移動方向に沿って移動しながら、前記ディスク状記録媒体に記録された情報を読み取り、あるいは前記ディスク状記録媒体に情報を書き込む光ピックアップ装置であって、
光ピックアップ本体が搭載されるハウジングと、
前記ハウジングを、前記移動方向に沿って移動可能に支持する基台と、
一端部が前記光ピックアップ本体の上面に覆って光ピックアップ本体に接続され、前記一端部から前記移動方向に沿って延び、中間部が略Ｕ字状に湾曲し、他端部が前記一端部と他端部とによって前記ハウジングを挟むように前記基台に接続されるフレキシブル基板と、
前記フレキシブル基板の一端部における前記光ピックアップ本体に臨む側とは反対側の面を覆うように、前記ハウジングに取り付けて設けられる第１押さえ板とを備え、
前記第１押さえ板の先端部が、前記フレキシブル基板から離反する方向に屈曲し、その屈曲部におけるフレキシブル基板を臨む面が曲面であり、先端部を除く残余の部分におけるフレキシブル基板を臨む面が同一平面となるように形成されることを特徴とする光ピックアップ装置である。
【００１６】
本発明に従えば、フレキシブル基板の一端部における光ピックアップ本体に臨む側とは反対側の面を覆うように、第１押さえ板が取り付けられ、第１押さえ板の先端部が、フレキシブル基板から離反する方向に屈曲し、その屈曲部におけるフレキシブル基板を臨む面が曲面となるように形成されている。ここで、第１押さえ板の先端部とは、フレキシブル基板がハウジングから引き出される部分に対向する第１押さえ板の一部分を表すものとする。したがって、光ピックアップ本体の移動に伴ってフレキシブル基板の中間部が膨らんで、フレキシブル基板と第１押さえ板とが接触した場合であっても、第１押さえ板とフレキシブル基板とは第１押さえ板の屈曲部の曲面において接触することになるので、接触時の衝撃荷重を低減し、光ピックアップ本体の移動に伴う接触部へ加わる荷重および第１押さえ板に対しフレキシブル基板が接触しながら摺動することによるフレキシブル基板の摩耗を低減することができる。また、第１押さえ板におけるフレキシブル基板を臨む面のうち、先端部および屈曲部を除く面が同一平面となるように形成されているので、不必要に第１押さえ板とフレキシブル基板とが接触することを回避することができる。
【００１７】
また本発明は、前記第１押さえ板の先端部を、前記フレキシブル基板から離反する方向に略直角に屈曲させることを特徴とする。
【００１８】
本発明に従えば、第１押さえ板の先端部が、フレキシブル基板から離反する方向に略直角に屈曲されているので、光ピックアップ本体の移動に伴ってフレキシブル基板の中間部の長さが長くなり、中間部の膨らみが大きくなった場合であっても、第１押さえ板の先端部の角と接触することがなくなるため、フレキシブル基板が破損されることを効果的に防止することができる。
【００１９】
また本発明は、前記第１押さえ板の屈曲部における前記フレキシブル基板を臨む面が、前記移動方向に垂直な方向に沿って凹凸する波形凹凸面であって、前記凹凸面のうちフレキシブル基板側に突出する面が曲面であることを特徴とする。
【００２０】
本発明に従えば、第１押さえ板の屈曲部における前記フレキシブル基板を臨む面が、移動方向に垂直な方向に沿って凹凸する波形凹凸面であって、前記凹凸面のうちフレキシブル基板側に突出する面が曲面であるので、フレキシブル基板と第１押さえ板の先端部とが接触する場合に、接触面積を小さくすることができる。光ピックアップ本体の移動に伴って、第１押さえ板に対しフレキシブル基板が接触しながら摺動する領域が、フレキシブル基板に形成されている導通路と略平行な方向に延びるので、導通路の断線の発生を低減することができる。さらには、フレキシブル基板において導通路の形成されていない部分で接触させることによって、導通路に荷重が加わらなくすることができるので、導通路の断線を防止することができる。
【００２１】
また本発明は、前記第１押さえ板の屈曲部における前記フレキシブル基板を臨む面に、略半球状の凸部を設けることを特徴とする。
【００２２】
また本発明は、前記凸部は、プレス加工によって形成されることを特徴とする。
また本発明は、前記凸部は、前記移動方向に垂直な方向に沿って複数設けられることを特徴とする。
【００２３】
本発明に従えば、第１押さえ板の屈曲部におけるフレキシブル基板を臨む面には、略半球状の凸部が設けられるので、第１押さえ板とフレキシブル基板とが接触する時に、フレキシブル基板が撓むことによって、接触時の衝撃を緩和することができる。また、フレキシブル基板と第１押さえ板の先端部とが接触する場合に、接触面積を小さくすることができる。光ピックアップ本体の移動に伴って、第１押さえ板に対しフレキシブル基板が接触しながら摺動する領域が、フレキシブル基板に形成されている導通路と略平行な方向に延びるので、導通路の断線の発生を低減することができる。さらには、フレキシブル基板において導通路の形成されていない部分で接触させることによって、導通路に荷重が加わらなくすることができるので、導通路の断線を防止することができる。
【００２４】
また本発明は、可撓性を有し、前記第１押さえ板の先端部近傍において、前記フレキシブル基板を介して、前記第１押さえ板とは反対側に、前記第１押さえ板とともに前記フレキシブル基板を挟むように配置される第２押さえ板をさらに備え、前記第２押さえ板は、前記第１押さえ板の先端部に対向する部分である先端部が、前記フレキシブル基板から離反する方向に屈曲し、その屈曲部におけるフレキシブル基板を臨む面が曲面であることを特徴とする。
【００２５】
本発明に従えば、第１押さえ板の先端部近傍において、フレキシブル基板を介して第１押さえ板とは反対側に、可撓性を有する第２押さえ板を配置するので、光ピックアップ本体の移動に伴ってフレキシブル基板の中間部の長さが短くなることによりフレキシブル基板が第２押さえ板に接触するような場合であっても、第２押さえ板が撓むことによって、第２押さえ板とフレキシブル基板とが接触する時の衝撃を緩和することができる。さらに、第２押さえ板は、第１押さえ板の先端部に対向する部分である第２押さえ板の先端部において、フレキシブル基板から離反する方向に屈曲し、その屈曲部におけるフレキシブル基板を臨む面が曲面となるように形成されているので、第２押さえ板とフレキシブル基板とが接触する場合であっても、第２押さえ板の曲面で接触させることができるので、フレキシブル基板の配線切れや破損の発生を低減することができる。
【００２６】
また本発明は、前記光ピックアップ装置を備えることを特徴とする光情報記録再生装置である。
【００２７】
本発明に従えば、前述のような優れた効果を達成する光ピックアップ装置を用いて、好適な光情報記録再生装置を実現することができる。
【発明の効果】
【００２８】
本発明によれば、フレキシブル基板と第１押さえ板とが接触する場合に、曲面で接触させることができるので、第１押さえ板の先端部の角で接触する場合と比較して、フレキシブル基板の配線切れや破損の発生を低減することができ、フレキシブル基板の信頼性を改善することができる。
【００２９】
また本発明によれば、フレキシブル基板の中間部の膨らみが大きくなった場合であっても、フレキシブル基板が第１押さえ板の先端部の角と接触することがなくなるので、フレキシブル基板の配線切れや破損の発生を効果的に低減することができ、フレキシブル基板の信頼性を改善することができる。
【００３０】
また本発明によれば、フレキシブル基板と第１押さえ板とが接触する場合に、その接触面積を小さくすることができる。これによって、第１押さえ板に対しフレキシブル基板が接触しながら摺動する領域を、フレキシブル基板の導通路と略平行になるように形成することができるので、フレキシブル基板の配線切れや破損の発生を効果的に低減することができ、フレキシブル基板の信頼性を改善することができる。
【００３１】
また本発明によれば、第１押さえ板とフレキシブル基板との接触時の衝撃を、接触時にフレキシブル基板が撓むことによって、緩和することができる。さらに、接触面積を小さくすることによって、第１押さえ板に対しフレキシブル基板が接触しながら摺動する領域を、フレキシブル基板の導通路と略平行になるように形成することができるので、フレキシブル基板の配線切れや破損の発生を効果的に低減することができ、フレキシブル基板の信頼性を改善することができる。
【００３２】
また本発明によれば、プレス加工することで凸部におけるフレキシブル基板を臨む面の仕上がりが滑らかになり、フレキシブル基板の配線切れや破損の発生を効果的に低減することができる。
【００３３】
また本発明によれば、第１押さえ板の屈曲部には凸部が複数設けられるので、凸部が１つ設けられる場合と比較して、接触部に加わる荷重を効果的に分散させて、フレキシブル基板の配線切れや破損の発生を効果的に低減することができ、フレキシブル基板の信頼性を改善することができる。
【００３４】
また本発明によれば、フレキシブル基板と第２押さえ板とが接触する場合に、曲面で接触させることができるので、第２押さえ板の先端部の角で接触する場合と比較して、フレキシブル基板の配線切れや破損の発生を低減することができ、フレキシブル基板の信頼性を改善することができる。
【００３５】
また本発明によれば、光ピックアップ本体が移動方向に沿って移動を繰り返すことによるフレキシブル基板の配線切れや破損の発生を抑制し、ディスク状記録媒体への情報の記録動作およびディスク状記録媒体に記録された情報の再生動作の信頼性が向上した光情報記録再生装置を実現することができる。
【発明を実施するための最良の形態】
【００３６】
図１は、本発明に係る光ピックアップ装置を示す平面図であり、図２は図１の切断面線ＩＩ−ＩＩから見た断面図であり、図３は図１の切断面線ＩＩＩ−ＩＩＩから見た断面図である。光ピックアップ装置は、光ピックアップ本体と、光ピックアップ本体を搭載するためのハウジング２と、フレキシブル基板３と、第１押さえ板１と、第２押さえ板９と、基台１１とによって構成される。また、光ピックアップ本体は、光を出射する光源を含む光源ユニット、光源から出射される光を光ディスクの情報記録面に対して集光する光学部材、および光ディスクの情報記録面によって反射された反射光を受光し、再生信号や動作制御信号を得るための受光素子を有する。基台１１は、主軸６および従軸７を有する。また、ハウジング２は、主軸受部４および従軸受部５を有し、主軸受部４によって主軸６が軸支され、従軸受部５によって従軸７が軸支される。
【００３７】
また、第１押さえ板１は、取付部１ａ，１ｂを有し、この取付部１ａ，１ｂがハウジング２に設けられる係止爪２ａ，２ｂで係止されることによって、ハウジング２に対して取り付けられている。第１押さえ板１は、係止爪２ａ，２ｂの代わりに、ハウジング２に直接ビス等で固定することも可能である。
【００３８】
なお、本発明にかかる光ピックアップ装置において、前述の第１の従来技術の光ピックアップ装置と共通する構成については、重複する説明を避け、構成の異なる部分について説明する。
【００３９】
本発明の第１の実施の形態では、第１押さえ板１の先端部１ｃの形状に特徴を有する。即ち、先端部１ｃは、フレキシブル基板３から離反する方向に略直角に屈曲されている。さらに、屈曲部１ｄにおけるフレキシブル基板を臨む面が曲面を形成するように構成されている。
【００４０】
したがって、図３（ａ）に示すように、光ピックアップ本体の移動に伴って、フレキシブル基板３の中間部３ｂが大きく膨らみ、フレキシブル基板３が第１押さえ板１と接触する場合であっても、屈曲部１ｄの曲面において接触することになるので、接触時の衝撃荷重を低減し、光ピックアップ本体の移動に伴う接触部へ加わる荷重および第１押さえ板１に対しフレキシブル基板３が接触しながら摺動することによるフレキシブル基板３の摩耗を低減することができる。
【００４１】
また、本実施の形態では、光ピックアップ装置に第２押さえ板９が含まれる。第２押さえ板９は、略平板状に形成され、可撓性を有し、フレキシブル基板３に対向するハウジング２の上面に垂直な側壁に設けられる溝部２ｃ，２ｄに嵌合されて、ハウジング２に保持される。さらに、第２押さえ板９は、ハウジング２の引き出し部２ｅ側の先端部９ａが、フレキシブル基板３から離反する方向に屈曲され、その屈曲部におけるフレキシブル基板を臨む面が曲面を形成するように構成されている。
【００４２】
したがって、図３（ｂ）に示すように、光ピックアップ本体の移動に伴って、フレキシブル基板３の中間部３ｂの長さが短くなることによって第２押さえ板９側に湾曲し、フレキシブル基板３が第２押さえ板９と接触する場合であっても、第２押さえ板９の曲面で接触させることができるので、フレキシブル基板３の配線切れや破損の発生を低減することができる。さらに、第２押さえ板９は、可撓性を有しているので、第２押さえ板９とフレキシブル基板３とが接触する時の衝撃を緩和することができる。このような第２押さえ板９は、たとえば厚さ０．１〜０．２ｍｍのステンレス鋼板の板によって実現される。
【００４３】
また、第１押さえ板１とフレキシブル基板３との隙間ΔＬ１を１．０ｍｍ以下と狭くすることによって、ハウジング２と第１押さえ板１との間にある領域において、フレキシブル基板３の撓みを低減し、第１押さえ板１と接触することによるフレキシブル基板３の摩耗を低減することができる。
【００４４】
さらに、第２押さえ板９とフレキシブル基板３との隙間ΔＬ２を１．０ｍｍ以下と狭くすることによって、第２押さえ板９と第１押さえ板１との間にある領域において、フレキシブル基板３の撓みを低減し、第２押さえ板９と接触することによるフレキシブル基板３の摩耗を低減することができる。
【００４５】
図４は、第１押さえ板１の屈曲部１ｄ付近の拡大断面図である。本発明の他の実施の形態では、屈曲部１ｄの形状に特徴を有する。図４（ａ）は、本発明の第２の実施の形態の第１押さえ板１の屈曲部１ｄ付近の拡大断面図であり、図４（ｂ）は、本発明の第３の実施の形態の第１押さえ板１の屈曲部１ｄ付近の拡大断面図である。
【００４６】
本発明の第２の実施の形態では、第１押さえ板１とフレキシブル基板３とが接触する屈曲部１ｄにおけるフレキシブル基板３を臨む面が、光ピックアップ本体が移動する方向に垂直な方向、すなわちフレキシブル基板３の幅方向に沿って凹凸する波形状の凹凸面であって、その凹凸面のうちフレキシブル基板３の方へ突出している面が曲面となるように第１押さえ板１が形成される。このような構成にすることによって、第１押さえ板１とフレキシブル基板３とが屈曲部１ｄにおいて接触する場合、フレキシブル基板３は第１押さえ板１の屈曲部１ｄの前記突出している曲面と接触することとなり、接触面積を小さくすることができる。したがって、光ピックアップ本体の移動に伴って、第１押さえ板１に対しフレキシブル基板３が接触しながら摺動する領域が、フレキシブル基板３に形成されている導通路と略平行な方向に形成されるので、導通路の断線の発生を低減することができる。さらには、フレキシブル基板３において導通路の形成されていない部分で接触させることによって、導通路に荷重が加わらなくすることができるので、導通路の断線を防止することができる。
【００４７】
本発明の第３の実施の形態では、第１押さえ板１とフレキシブル基板３とが接触する屈曲部１ｄにおいて、第１押さえ板１のフレキシブル基板に臨む側の面に、略半球状の凸部が複数（本実施の形態では２つ）設けられる。このような構成にすることによって、第１押さえ板１とフレキシブル基板３とが接触する場合、フレキシブル基板３は第１押さえ板１の屈曲部１ｄの前記半球状の凸部と接触することとなり、フレキシブル基板３が撓むので、接触時の衝撃を緩和することができる。
【００４８】
また、第１押さえ板１とフレキシブル基板３とが屈曲部１ｄにおいて接触する接触面積を小さくすることができる。したがって、光ピックアップ本体の移動に伴って、第１押さえ板１に対しフレキシブル基板３が接触しながら摺動する領域が、フレキシブル基板３に形成されている導通路と略平行な方向に形成されるので、導通路の断線の発生を低減することができる。さらには、フレキシブル基板３において導通路の形成されていない部分で接触させることによって、導通路に荷重が加わらなくすることができるので、導通路の断線を防止することができる。本実施の形態に係る凸部は、プレス加工によって形成されることが好ましい。その場合は第１押さえ板１のフレキシブル基板に臨む側と反対の面から押圧することにより、第１押さえ板１のフレキシブル基板に臨む側の面に、略半球状の凸部が複数設けられる。このとき、第１押さえ板１のフレキシブル基板に臨む側と反対の面には略半球状の凹部が複数設けられる。
【００４９】
本発明の実施のさらに他の形態では、第１押さえ板１が可撓性を有していてもよい。この場合の第１押さえ板１の最適な材質およびその厚さとして、たとえばＳＵＳ３０４を用い、厚さは０．１０〜０．２０ｍｍとすることが好ましい。また、第１押さえ板１の先端部１ｃの厚さを第１押さえ板１の他の部分よりも薄くなるように形成し、この先端部１ｃのみが可撓性を有するように構成されてもよい。
【００５０】
このような構成にすることによって、第１押さえ板１の先端部１ｃが、フレキシブル基板３とは反対側に屈曲するので、第１押さえ板１との接触部に加わる荷重を低減し、フレキシブル基板３の配線切れや破損の発生を低減することができる。
【００５１】
さらに、第１押さえ板１とフレキシブル基板３との隙間ΔＬ１を０ｍｍとし、すなわち第１押さえ板１とフレキシブル基板３とを密着させ、また、第２押さえ板９とフレキシブル基板３との隙間ΔＬ２を０ｍｍとし、すなわち第２押さえ板９とフレキシブル基板３とを密着させた場合であっても、第１押さえ板１および第２押さえ板９は可撓性を有するため、光ピックアップ本体を移動させても、フレキシブル基板３の一端部近傍において、フレキシブル基板３に繰り返し応力が集中することはない。
【図面の簡単な説明】
【００５２】
【図１】本発明の実施の一形態の光ピックアップ装置を示す平面図である。
【図２】図１の切断面線ＩＩ−ＩＩから見た断面図である。
【図３】図１の切断面線ＩＩＩ−ＩＩＩから見た断面図であり、（ａ）はフレキシブル基板３が第１押さえ板１と接触している状態を示し、（ｂ）はフレキシブル基板３が第２押さえ板９と接触している状態を示す。
【図４】第１押さえ板１の屈曲部１ｄ付近の拡大断面図であり、（ａ）は本発明の第２の実施の形態の第１押さえ板１の接触面の形状を示し、（ｂ）は本発明の第３の実施の形態の第１押さえ板１の接触面の形状を示す。
【図５】第１の従来技術の光ピックアップ装置を示す平面図である。
【図６】図５の切断面線ＶＩ−ＶＩから見た断面図である。
【図７】図５の切断面線Ｖ−Ｖから見た断面図であり、（ａ）はフレキシブル基板３が第１押さえ板１およびハウジング２に接触しない状態を示し、（ｂ）はフレキシブル基板３が第１押さえ板１の先端部１ｃの角に接触している状態を示す。
【符号の説明】
【００５３】
１  第１押さえ板
１ｃ  第１押さえ板の先端部
１ｄ  第１押さえ板の屈曲部
２  ハウジング
３  フレキシブル基板
３ａ  フレキシブル基板の一端部
３ｂ  フレキシブル基板の中間部
３ｃ  フレキシブル基板の他端部
４  主軸受部
５  従軸受部
６  主軸
７  従軸
９  第２押さえ板
９ａ  第２押さえ板の先端部
１０  コネクタ
１１  基台
【図１】
2009199654.tif 000003
【図２】
2009199654.tif 000004
【図３】
2009199654.tif 000005
【図４】
2009199654.tif 000006
【図５】
2009199654.tif 000007
【図６】
2009199654.tif 000008
【図７】
2009199654.tif 000009